(57)【要約】【課題】フィルム巻き取り機を駆動するための回転工具として、手動ハンドル及び電動モータのいずれも選択的かつ簡単に使用可能とする。【解決手段】アダプタ２１は、先端側の装着部２２が温室におけるフィルム巻き取り機１の入力軸５に固定して装着され、基端側の結合部２３が手動ハンドル１６及び電動ドリル１７のいずれか１つに選択的に着脱可能に結合でき、フィルム巻き取り機１に伝達する手動ハンドル１６及び電動ドリル１７のいずれを使用してもフィルム巻き取り機１を回転駆動可能とし、結合部２３は、手動ハンドル１６に着脱可能に結合できるための筒孔２８と固定ピン挿入孔３１を備えているとともに、電動ドリル１７に着脱可能に結合できるための六角形の外周面２７を備えている。【選択図】図３
2018201420.tif 000002
【特許請求の範囲】
【請求項１】
先端側が温室におけるフィルム巻き取り機の入力軸に装着され、基端側が回転工具としての手動ハンドル及び電動ドリルのいずれか１つに選択的に結合可能であり、回転工具の回転力をフィルム巻き取り機に伝達する、回転工具によってフィルム巻き取り機を回転するためのフィルム巻き取り機用のアダプタであって、
アダプタの長手方向の先端側には、フィルム巻き取り機の入力軸に固定される装着部が形成されており、アダプタの長手方向の基端側には、回転工具に着脱可能に結合できる結合部が形成されており、
結合部は、手動ハンドルに結合可能な手動ハンドル結合部と電動ドリルに結合可能な電動ドリル結合部を備えている構成であることを特徴とする回転工具によってフィルム巻き取り機を回転するためのフィルム巻き取り機用のアダプタ。
【請求項２】
アダプタの装着部は、フィルム巻き取り機の入力軸に固定されて装着可能な構成であり、
アダプタの結合部は外観が角筒に形成されており、手動ハンドル結合部として手動ハンドルの結合軸が嵌合可能な筒孔と、電動ドリル結合部として電動ドリルに取り付けられた角形ソケットが嵌合可能な角筒の外周面と、を備えている構成であることを特徴とする請求項１に記載の回転工具によってフィルム巻き取り機を回転するためのフィルム巻き取り機用のアダプタ。
【請求項３】
アダプタの結合部には、アダプタの軸方向に直交し貫通して形成されており、手動ハンドルの結合軸に形成された固定ピン挿通孔に挿通される固定ピンが挿入される固定ピン挿入孔が形成されている構成であることを特徴とする請求項１又は２に記載の回転工具によってフィルム巻き取り機を回転するためのフィルム巻き取り機用のアダプタ。
【請求項４】
固定ピンの基端には板バネが取り付けられており、該板バネは、アダプタの外周面に沿って弾力的に圧接可能な正面視で略への字の形状であることを特徴とする請求項３に記載の回転工具によってフィルム巻き取り機を回転するためのフィルム巻き取り機用のアダプタ。
【請求項５】
アダプタの結合部の外周面は、電動ドリルに取り付けた角形ソケットが外側から着脱可能に嵌合し結合可能な構成であることを特徴とする請求項１〜４のいずれかに記載の回転工具によってフィルム巻き取り機を回転するためのフィルム巻き取り機用のアダプタ。
【請求項６】
アダプタの装着部には、アダプタの軸方向に直交し貫通して形成されており、入力軸に形成された取り付けボルト挿入孔を通して挿入された取り付けボルトが挿通される取り付けボルト挿通孔が形成されている構成であることを特徴とする請求項１〜５のいずれかに記載の回転工具によってフィルム巻き取り機を回転するためのフィルム巻き取り機用のアダプタ。
【発明の詳細な説明】
【技術分野】
【０００１】
本発明は、回転工具によってフィルム巻き取り機を回転するためのフィルム巻き取り機用のアダプタであり、より詳細には、温室等に使用するフィルム巻き取り機に装着し、回転工具である手動ハンドル及び電動ドリルのいずれか１つを選択的かつ取り換え自在に着脱可能に結合でき、手動ハンドル及び電動ドリルのいずれも使用できるようにする回転工具の回転力をフィルム巻き取り機に伝達するフィルム巻き取り機用のアダプタに関するものである。
【背景技術】
【０００２】
従来、温室等の換気窓、壁、天井等を構成するフィルムを巻き取るフィルム巻き取り機の回転工具として、フィルム巻き取り機に手動ハンドルが取り付けられている構成は知られている（特許文献１、２参照）。
【０００３】
即ち、特許文献１には、開閉装置に回転工具としての手動ハンドルが設けられており、手動ハンドルによる回転力を歯車機構及び伝達機構を介して巻き取りローラに伝達する構成が記載されている。
【０００４】
また、特許文献２には、動力伝達機構を内蔵した回転駆動部材の入力軸に手動ハンドルをボルト・ナットで固定して取り付ける構成が記載されている。
【０００５】
さらに、特許文献３には、シートを巻き取り、巻き戻すためにギア機構を内蔵した回転駆動装置に、回転工具として電動モータを取り付けた構成が記載されている。また、回転駆動装置に、回転工具としてハンドルを取り付けた構成が記載されている。
【先行技術文献】
【特許文献】
【０００６】
【特許文献１】実用新案登録第２５２７１１４号公報
【特許文献２】実用新案登録第３０１７３１４号公報
【特許文献３】特開平１０−２７１９１７号公報
【発明の概要】
【発明が解決しようとする課題】
【０００７】
特許文献１、２には、上記のとおりフィルム巻き取り機の回転工具として、フィルム巻き取り機に手動ハンドルが取り付けられた構成が開示されているが、温室の温度を調整するために、このようなフィルム巻き取り機を数多く装備し、しかもきめ細かく開閉操作する必要がある。
【０００８】
しかしながら、これらの全部の開閉操作をするには、多大の労力を必要とする。特に、近年、各事業者の設置する温室が、大規模化、多数化している現状では、このような労力は並大抵ではない。
【０００９】
そこで、近年、フィルム巻き取り機の回転工具として、電動モータを設けたフィルム巻き取り機も使用されている。電動モータを設けたフィルム巻き取り機については、上記特許文献３にも開示されているが、電動モータを設けたフィルム巻き取り機は高価なものとなり、数多く設置するには多大な経費が必要となる。
【００１０】
ところで、特許文献３には、回転工具として電動モータを取り付けたフィルム巻き取り機と手動ハンドルを取り付けたフィルム巻き取り機が、それぞれ別個なものとして開示されているが、フィルム巻き取り機を回転する回転工具として、電動モータと手動ハンドルのいずれでも選択的に着脱可能に取り付けることができ、いずれも使用できるという課題及び構成等については、記載も示唆もされていない。
【００１１】
本発明は、上記従来の問題点を解決することを課題とするものであり、フィルム巻き取り機の回転工具として、手動ハンドル及び電動モータのいずれか一つを、選択的かつ取り換え自在に、簡単に着脱可能にフィルム巻き取り機に取り付けて使用することが可能であり、しかも電動モータとして汎用の電動ドリル１つでも多数のフィルム巻き取り機に簡単に着脱可能に取り付けてフィルム巻き取り機の回転駆動を可能とするフィルム巻き取り機用の回転工具取り付け用アダプタを実現することを課題とするものである。
【課題を解決するための手段】
【００１２】
本発明は上記課題を解決するために、先端側が温室におけるフィルム巻き取り機の入力軸に装着され、基端側が回転工具としての手動ハンドル及び電動ドリルのいずれか１つに選択的に結合可能であり、回転工具の回転力をフィルム巻き取り機に伝達する、回転工具によってフィルム巻き取り機を回転するためのフィルム巻き取り機用のアダプタであって、アダプタの長手方向の先端側には、フィルム巻き取り機の入力軸に固定される装着部が形成されており、アダプタの長手方向の基端側には、回転工具に着脱可能に結合できる結合部が形成されており、結合部は、手動ハンドルに結合可能な手動ハンドル結合部と電動ドリルに結合可能な電動ドリル結合部を備えている構成であることを特徴とする回転工具によってフィルム巻き取り機を回転するためのフィルム巻き取り機用のアダプタを提供する。
【００１３】
アダプタの装着部は、フィルム巻き取り機の入力軸に固定されて装着可能な構成であり、アダプタの結合部は外観が角筒に形成されており、手動ハンドル結合部として手動ハンドルの結合軸が嵌合可能な筒孔と、電動ドリル結合部として電動ドリルに取り付けられた角形ソケットが嵌合可能な角筒の外周面と、を備えている構成であることが好ましい。
【００１４】
アダプタの結合部には、アダプタの軸方向に直交し貫通して形成されており、手動ハンドルの結合軸に形成された固定ピン挿通孔に挿通される固定ピンが挿入される固定ピン挿入孔が形成されている構成であることが好ましい。
【００１５】
固定ピンの基端には板バネが取り付けられており、該板バネは、アダプタの外周面に沿って弾力的に圧接可能な正面視で略への字の形状であることが好ましい。
【００１６】
アダプタの結合部の外周面は、電動ドリルに取り付けた角形ソケットが外側から着脱可能に嵌合し結合可能な構成であることが好ましい。
【００１７】
アダプタの装着部には、アダプタの軸方向に直交し貫通して形成され、入力軸に形成された取り付けボルト挿入孔を通して挿入された取り付けボルトが挿通される取り付けボルト挿通孔が形成されている構成であることが好ましい。
【発明の効果】
【００１８】
本発明によれば、フィルム巻き取り機を回転駆動するための回転工具として、手動ハンドルと電動モータのいずれも、選択的かつ取り換え自在に使用可能となり、しかも電動モータとして汎用の電動ドリルは、１つで多数のフィルム巻き取り機を操作することが可能となる。
【図面の簡単な説明】
【００１９】
【図１】（ａ）は、本発明に係る回転工具によってフィルム巻き取り機を回転するためのフィルム巻き取り機用のアダプタを適用するフィルム巻き取り機及び該フィルム巻き取り機で巻き取られるフィルムの構成を説明する斜視図であり、（ｂ）はフィルム巻き取り機に手動ハンドルを装着した従来例の構成を示す。
【図２】本発明に係るアダプタの実施例を説明する図であり、（ａ）及び（ｂ）はそれぞれ正面図及び側面図であり、（ｃ）、（ｄ）は、上記実施例のアダプタに板バネ付き固定ピンを取り付けた状態を示す正面図及び側面図である。
【図３】（ａ）、（ｂ）は、上記実施例のアダプタで手動ハンドルを使用する際に使用する板バネ付き固定ピンの正面図及び側面図であり、（ｃ）は、フィルム巻き取り機に上記実施例のアダプタを装着し、フィルム巻き取り機を駆動操作するために手動ハンドルを使用する状態を示す正面図である。
【図４】（ａ）は、フィルム巻き取り機に上記実施例のアダプタを装着し、フィルム巻き取り機を駆動操作するために手動ハンドルを使用する状態を示す斜視図であり、（ｂ）は（ａ）の要部の詳細な構成を示す拡大斜視図である。
【図５】（ａ）は、フィルム巻き取り機に上記実施例のアダプタを装着し、フィルム巻き取り機を駆動操作するために電動ドリルを使用する状態を示す斜視図であり、（ｂ）、（ｃ）は、それぞれ電動ドリルに取り付ける六角ソケットの正面図及び側面図である。
【発明を実施するための形態】
【００２０】
本発明に係る回転工具によってフィルム巻き取り機を回転するためのフィルム巻き取り機用のアダプタを実施するための形態を実施例に基づき図面を参照して、以下説明する。
【実施例】
【００２１】
本発明に係る回転工具によってフィルム巻き取り機を回転するためのフィルム巻き取り機用のアダプタ（以下単に、「アダプタ」という）の実施例を図１〜５を参照して説明する。
【００２２】
本発明に係るアダプタを適用するフィルム巻き取り機、及び該フィルム巻き取り機で巻き取られるフィルムの構成例を図１（ａ）において説明する。この実施例のフィルム巻き取り機１は、温室の傍に起立されたガイド支柱２に上下方向に摺動可能に設けられている。
【００２３】
フィルム巻き取り機１は、ガイド支柱２に上下方向に摺動するガイド部３と、本体ハウジング４と、入力軸５と、巻き取り軸６と、を備えている。ガイド部３は、本体ハウジング４と一体になるように、本体ハウジング４に設けられている又は取り付けられている。
【００２４】
入力軸５は、本実施例では筒状に形成されているが、後記するアダプタ２１の装着部２２を固定して装着し、共廻り可能に連結できれば、中実状の軸で形成されていてもよい。入力軸５には、取り付けボルト３７を挿入するボルト挿入孔１１が、入力軸５の軸方向に直交し貫通して形成されている。
【００２５】
巻き取り軸６は、温室のフィルム１２を巻き取り可能な構成となっている。温室のフィルム１２は、図示はしないが、例えば、温室（ビニールハウス等も含む）の換気用の開口の開閉窓、又は温室を構成する壁や天井等の構成部材として使用され、ビニールシート等である。
【００２６】
本体ハウジング４内には、入力軸５に付与された回転駆動力を巻き取り軸６に伝動する周知の歯車機構等（特許文献１、３等参照）が内蔵されている。
【００２７】
以上のような構成のフィルム巻き取り機１を回転駆動してフィルム１２の巻き取り動作を行うために、回転工具を使用する。ここで回転工具は、フィルム巻き取り機１の入力軸５を回転し、フィルム巻き取り機１がフィルム１２の巻き取り動作をするための回転駆動源となるものである。
【００２８】
回転工具としては、従来は図１（ｂ）に従来例を示すように、手動ハンドル１６をフィルム巻き取り機１の入力軸５に挿入し、ボルト３７で固定して装着し、直接、共回り可能に連結した状態で使用していた。本発明では、回転工具として図３（ｃ）、図４に示すように、手動ハンドル１６も使用可能であるとともに、図５（ａ）に示す電動ドリル１７のような電動回転工具も使用可能とした。
【００２９】
フィルム巻き取り機１の動作自体は、図１（ｂ）に示す従来例でも、本発明でも同じであり、手動ハンドル１６又は後記する電動ドリル１７によって、フィルム巻き取り機１の入力軸５を回転し歯車機構等を介して巻き取り軸６を回動すると、温室のフィルム１２は、巻き取り軸６に巻き取られて巻き上げられるとともに、巻き取り軸６は上昇する。
【００３０】
その結果、ガイド部３がガイド支柱２に沿って上方に摺動しながら、フィルム巻き取り機１全体は上昇し、フィルム１２で覆われていた温室の一部が開放される。
【００３１】
本発明の特徴は、本発明に係るアダプタ２１を入力軸５に固定して装着し、アダプタ２１に回転工具である手動ハンドル１６及び電動ドリル１７のいずれか１つを選択的かつ取り替え自在に着脱可能に結合でき、手動ハンドル１６及び電動ドリル１７のいずれを使用しても、アダプタ２１を介してフィルム巻き取り機１を回転駆動可能とするようにした構成にある（図４（ａ）、（ｂ）、図５（ａ）参照）。
【００３２】
アダプタ２１は、図２（ａ）、（ｂ）に示すように、その長手方向の先端側（図２（ａ）の右側）に、フィルム巻き取り機１の入力軸５に固定して装着される装着部２２が形成されており、その長手方向の基端側（図２（ａ）の左側）に、手動ハンドル１６及び電動ドリル１７のいずれも選択的かつ取り替え自在に着脱可能に結合できる結合部２３が形成されている。
【００３３】
装着部２２は円筒として形成されており、その先端側には、長手方向に直交する方向に向けて取り付けボルト３７を挿通するボルト挿通孔２６が形成されている。
【００３４】
なお、本実施例では、アダプタ２１の装着部２２は円筒に形成されているが、装着部２２は、フィルム巻き取り機１の入力軸５と固定して装着し、共に回転可能に連結できる形状であれば、円筒ではなく円柱、角筒、角柱等であってもよい。これらの形状の筒や柱とした場合でも、ボルト挿通孔が形成される。  
【００３５】
アダプタ２１の結合部２３は、手動ハンドル１６が結合可能な手動ハンドル結合部と電動ドリル１７が結合可能な電動ドリル結合部の両方を備えている。
【００３６】
具体的には、図２（ａ）、（ｂ）に示すように、電動ドリル結合部として、アダプタ２１の結合部２３は、その軸に直交する断面形状が六角形の外周面２７を備えている。また、手動ハンドル結合部として、アダプタ２１の結合部２３は、筒孔２８と固定ピン挿入孔３１を備えている。
【００３７】
筒孔２８は、アダプタ２１の軸に直交する断面形状が、本実施例では円形である。固定ピン挿入孔３１は、アダプタ２１の結合部２３の軸方向に直交する方向に貫通して形成されており、筒孔２８と筒孔２８に挿入された手動ハンドル１６の結合軸４２を、共に回転可能に結合するための板バネ付きの固定ピン３２を挿入する孔である。
【００３８】
換言すると、本実施例のアダプタ２１の結合部２３は、外観から見て六角筒として形成されており、電動ドリル結合部として、六角形の外周面２７を備えているとともに、手動ハンドル結合部として、円形の内周面を有する筒孔２８と固定ピン挿入孔３１を備えている。  
【００３９】
アダプタ２１の結合部２３は、外観から見て六角筒、即ちアダプタ２１の軸に直交する断面の外形は六角形としたが、これは、後記する電動ドリル１７の六角ソケット４６の六角ソケット孔４９に合わせたのであり、電動ドリル１７の角形ソケットの形状に合わせて、角形ソケットが外側から嵌合し共に回転可能であれば、六角形でなくても、四角形、五角形等、他の角形であっても良い。
【００４０】
アダプタ２１に手動ハンドル１６を結合し、手動ハンドル１６によってアダプタ２１介してフィルム巻き取り機１を回転駆動する場合には、アダプタ２１とともに、図３（ａ）、（ｂ）に示すような板バネ付きの固定ピン３２が用いられる。固定ピン３２自体は、円柱軸として形成されており、その先端面（図３（ａ）の右端面）に示すように、半球面状に形成されている。
【００４１】
板バネ３５は、図３（ａ）に示すように、正面視で略への字状に形成されており、固定ピン３２の長手方向に沿って延び、その基端部３６が、固定ピン３２の基端面（図３（ａ）の左端面）に固定されている。板バネ３５の横幅は、図３（ｂ）に示すように、固定ピン３２の直径と略同じである。
【００４２】
アダプタ２１の不使用時において、アダプタ２１に板バネ付きの固定ピン３２を装着しておくと、アダプタ２１と板バネ付きの固定ピン３２がセットとなって、バラバラとならないので紛失等を防ぐことができる。
【００４３】
アダプタ２１に板バネ付きの固定ピン３２を装着するには、図２（ｃ）、（ｄ）に示すように、アダプタ２１の固定ピン挿入孔３１に板バネ付きの固定ピン３２を挿通し、板バネ３５をアダプタ２１の結合部２３の外周面２７に弾力的に圧接するようにする。これにより、板バネ付きの固定ピン３２が、アダプタ２１の固定ピン挿入孔３１から簡単には抜けないようになり、抜け止めが可能となる。
【００４４】
アダプタ２１をフィルム巻き取り機１の入力軸５に装着して共に回転可能に連結し、アダプタ２１に手動ハンドル１６及び電動ドリル１７のいずれか１つを選択的かつ取り替え自在に結合し、それらのいずれか１つによって、アダプタ２１を介してフィルム巻き取り機１を回転駆動する手順については、後記する作用の項で説明する。
【００４５】
（作用）
本発明に係るアダプタ２１の構成、効果をより明確にするために、その使用の方法、作用等について以下説明する。
【００４６】
本発明の特徴は、前記したとおり、アダプタ２１をフィルム巻き取り機１の入力軸５に装着して共に回転可能に連結し、このアダプタ２１に手動ハンドル１６及び電動ドリル１７のいずれか１つを選択的かつ取り替え自在に結合し、これらの回転工具のいずれを使用しても、アダプタ２１を介してフィルム巻き取り機１を回転駆動可能とする構成である。
【００４７】
アダプタ２１に手動ハンドル１６を着脱可能に結合し、手動ハンドル１６によってアダプタ２１を介してフィルム巻き取り機１を回転駆動する場合と、アダプタ２１に電動ドリル１７を着脱可能に結合し、電動ドリル１７によってアダプタ２１を介してフィルム巻き取り機１を回転駆動する場合と、手動ハンドル１６と電動ドリル１７を相互に取り替えて使用する場合等について、それぞれ説明する。
【００４８】
フィルム巻き取り機１を手動ハンドル１６及び電動ドリル１７のいずれによって駆動操作する場合も、フィルム巻き取り機１にアダプタ２１を固定して装着し、共に回転可能に連結した状態で、手動ハンドル１６又は電動ドリル１７をアダプタ２１に着脱自在に結合して使用するので、まず、フィルム巻き取り機１にアダプタ２１を装着する仕方について説明する。
【００４９】
アダプタ２１の装着部２２を、フィルム巻き取り機１の筒状の入力軸５の筒内に嵌合して挿入し、取り付けボルト３７を入力軸５のボルト挿入孔１１とアダプタ２１おけるボルト挿通孔２６を通して挿入し、他端側からナット３８を螺着して締め付ける。これによって、アダプタ２１をフィルム巻き取り機１の入力軸５に固定して装着し、両者を共に回転可能に連結する。              
【００５０】
このようにフィルム巻き取り機１に装着したアダプタ２１を介して、まず、フィルム巻き取り機１に手動ハンドル１６を取り付けて、フィルム巻き取り機１を回転駆動する場合について説明する。
【００５１】
本実施例で使用される手動ハンドル１６は、図３（ｃ）に示すように、クランク軸４０を備えている。クランク軸４０には、その基端側に把持部４１が設けられ、先端側が結合軸４２となっている。結合軸４２の先端側に固定ピン挿通孔４３が形成されている。   
【００５２】
手動ハンドル１６を取り付ける場合は、その結合軸４２を図３（ｃ）に示すように、アダプタ２１の結合部２３の筒孔２８内に挿入する。                
【００５３】
そして、板バネ付きの固定ピン３２を、アダプタ２１における固定ピン挿入孔３１と手動ハンドル１６における結合軸４２の固定ピン挿通孔４３を貫通するように挿入する。この挿入は、への字形の板バネ３５が、アダプタ２１の結合部２３における六角形の外周面２７に弾力的に圧着するまで行う。
【００５４】
このようにして、図４（ａ）、（ｂ）に示すように、アダプタ２１に手動ハンドル１６を共に回転可能に結合することができる。そして、手動ハンドル１６を回転することにより、その回転力がアダプタ２１を介してフィルム巻き取り機１の入力軸５に伝達され、フィルム巻き取り機１を回転駆動することでき、フィルム１２を巻き取り軸６に巻き取ることが可能となる。
【００５５】
しかも、アダプタ２１に手動ハンドル１６を結合した状態で、板バネ３５をアダプタ２１の結合部２３における外周面２７に弾力的に圧接するようにしたので、板バネ付きの固定ピン３２が、アダプタ２１の固定ピン挿入孔３１及び手動ハンドル１６の固定ピン挿通孔４３から簡単には抜けないような抜け止めが可能となり、その結果、手動ハンドル１６のアダプタ２１からの抜け止めが可能となり、安定かつ安全なハンドル操作が可能となる。
【００５６】
次に、電動ドリル１７を使用する場合について説明する。本発明における「電動ドリル」は、チャック等の工具取り付け部材を備え、この工具取り付け部材によって、工具として穴あけドリル等の工具を取り付けることのできる通常の電動ドリル、電動ドリルドライバ（電動ドリルと電動ドライバ兼用のもの）等の電動回転工具を言う。
【００５７】
なお、本発明に使用される電動ドリルに換えて、アダプタ２１に結合するための六角ソケット等の工具を取り付けることができる電動回転工具であれば、ねじ締め用に通常は使用されている電動ドライバのような電動回転工具も使用可能であるので、本発明における「電動ドリル」としては、上記のような電動ドライバも実質的に含まれる。
【００５８】
電動ドリル１７を使用する場合は、本実施例では、図５（ａ）〜（ｃ）に示すような六角ソケット４６を使用する。六角ソケット４６は、基端側の取り付け軸４７と先端側のソケット部４８を備えている。
【００５９】
ソケット部４８は、六角ソケット孔４９を有する。六角ソケット孔４９はその断面形状が、アダプタ２１の結合部２３に外側からぴったりと嵌合するように、六角形に形成されている（図５（ｃ）参照）。
【００６０】
要するに、六角ソケット孔４９の軸方向に直交する六角形の断面形状は、アダプタ２１の結合部２３の軸方向に直交する六角形の断面形状に対して相似形であるが、わずかに大きく形成されている。なお、六角ソケットでなくても、多角形のソケット孔を有する角形ソケットであってもよい。
【００６１】
このような六角ソケット４６を、その取り付け軸４７を電動ドリル１７のチャックに締着して、電動ドリル１７に取り付ける。そして、電動ドリル１７のスイッチを入れれば、電動ドリル１７及び六角ソケット４６が回転し、アダプタ２１を介して入力軸５を回転させて、フィルム巻き取り機１を回転駆動し、フィルム１２の巻き取り動作が可能となる。
【００６２】
上記のとおり図４（ａ）、（ｂ）に示す手動ハンドル１６を使用している状態から、図５（ａ）に示す電動ドリル１７の使用に変更する場合には、板バネ３５の弾力に抗して板バネ付きの固定ピン３２をアダプタ２１及び手動ハンドル１６の結合軸４２から引き抜き、アダプタ２１は入力軸５に装着した状態で、手動ハンドル１６をアダプタ２１から取り外す。
【００６３】
そして、図５（ａ）に示すように、電動ドリル１７に取り付けた六角ソケット４６の六角ソケット孔４９を、板バネ付きの固定ピン３２を外した状態のアダプタ２１の結合部２３に外側から嵌合すれば良い。
【００６４】
なお、図５（ａ）に示すように、電動ドリル１７を使用している状態から、手動ハンドル１６を使用する場合は、六角ソケット４６をアダプタ２１の結合部２３から引き抜く。そして、前記したとおり、手動ハンドル１６のその結合軸４２を図３（ｃ）に示すように、アダプタ２１の結合部２３の筒孔２８内に挿入する。
【００６５】
そして、前記したとおり、板バネ付きの固定ピン３２をアダプタ２１における固定ピン挿入孔３１と手動ハンドル１６における固定ピン挿通孔４３を貫通するように挿入して、板バネ３５がアダプタ２１の結合部２３の六角形の外周面２７に弾力的に圧着して抜け止めを行う。これによって、手動ハンドル１６をアダプタ２１に回転可能に結合することができる。
【００６６】
以上のとおり、本発明に係るアダプタ２１をフィルム巻き取り機１に装着して使用することにより、フィルム巻き取り機１の回転駆動手段として、手動ハンドル１６及び電動ドリル１７のいずれでも選択的にかつ簡単に使用することが可能となる。
【００６７】
以上、本発明に係る回転工具によってフィルム巻き取り機を回転するためのフィルム巻き取り機用のアダプタを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６８】
本発明に係る回転工具によってフィルム巻き取り機を回転するためのフィルム巻き取り機用のアダプタは上記のような構成であるから、温室等の換気窓、壁、天井等を構成するフィルムの巻き上げ機に適用可能である。
【符号の説明】
【００６９】
１  フィルム巻き取り機
２  ガイド支柱
３  ガイド部
４  本体ハウジング
５  入力軸
６  巻き取り軸
１１  入力軸のボルト挿入孔
１２  温室のフィルム
１６  手動ハンドル
１７  電動ドリル
２１  アダプタ
２２  装着部
２３   結合部
２６  装着部のボルト挿通孔
２７  結合部の外周面
２８  結合部の筒孔
３１  結合部の固定ピン挿入孔
３２  固定ピン
３５  板バネ
３６  板バネの基端部
３７  取り付けボルト
４０  クランク軸
４１  把持部
４２  クランク軸における結合軸
４３  結合軸の固定ピン挿通孔
４６  六角ソケット
４７  六角ソケットの取り付け軸
４８  六角ソケットのソケット部
４９  六角ソケット孔
【図１】
2018201420.tif 000003
【図２】
2018201420.tif 000004
【図３】
2018201420.tif 000005
【図４】
2018201420.tif 000006
【図５】
2018201420.tif 000007